(57)【要約】      （修正有）【課題】入賞装置内に入球した遊技球の流下態様により一層の多様性を与え、入賞装置内に入球した遊技球が入賞口へ入賞するか否かについて、遊技者に一層の緊張感を与え、もって遊技の興趣を高めることのできる球誘導装置及び球誘導装置を用いた入賞装置を提供する。【解決手段】遊技球が流下する球経路に設けられ、特定入賞口への遊技球を誘導する球誘導装置６０において、上部において遊技球が遊動可能な傾動板６２を備え、傾動板６２は、下部外周付近に前後左右において４箇所の変位部材７０に支持されて前後方向及び左右方向の傾きを自在に設けた。また、入球した遊技球を傾動板６２の奥側に流下可能な球排出口を備えると共に、傾動板６２の手前側に特定入賞口を配設した。【選択図】図６
2011115471.tif 000002
【特許請求の範囲】
【請求項１】
遊技球が流下する所定の球経路に設けられ、特定の球受入口への遊技球を誘導する球誘導装置であって、前記球誘導装置は、上部において遊技球が遊動可能な傾動板を備え、前記傾動板は、下部において少なくとも３箇所の変位部材に支持されて前後方向及び左右方向の傾きを自在に設けられたことを特徴とする遊技機の球誘導装置。
【請求項２】
前記変位部材を、前記傾動板の外周付近において前後左右に４箇所配設したことを特徴とする請求項１に記載の遊技機の球誘導装置。
【請求項３】
請求項１又は請求項２に記載の前記球誘導装置を備え、入球した遊技球を前記傾動板の奥側に流下可能な球排出口を備えると共に、前記傾動板の手前側に入賞口を配設した遊技機の入賞装置。
【請求項４】
前記傾動板に入賞口を開設したことを特徴とする請求項３に記載の遊技機の入賞装置。
【発明の詳細な説明】
【技術分野】
【０００１】
本発明はパチンコ機等の遊技機に用いられる球誘導装置及び球誘導装置を用いた入賞装置に関する。
【背景技術】
【０００２】
従来、パチンコ機等には、遊技進行上においていわゆる「大当たり」となる特別遊技状態を発生させ、遊技者に一時に多数の入賞球を獲得させることのできるものが知られている。このようなパチンコ機等においては、特別遊技状態を開始するためには、特定の入賞口に遊技球が入賞したり、特定の入賞口への遊技球の入賞を契機にして変動される図柄表示装置内の複数の図柄が所定の態様で揃うなどの開始条件が定められている。
【０００３】
例えば、特定遊技状態に移行するために、所定の始動口に入賞すると、可変入賞装置に設けられた可変部材が１回または２回開閉を繰り返し、その際に可変入賞装置の入球口から可変入賞装置内に遊技球が入球し、さらに可変入賞装置内の特定入賞口（Ｖゾーンなど）に入賞すると特別遊技状態に移行し、可変部材が多数の開閉を繰り返して遊技者に多数の入賞球を獲得させる機会を与えるパチンコ機が知られている。そして、この種のパチンコ機において、可変入賞装置内に可動部材を設け、入球した遊技球を貯留して特定入賞口へ誘導可能に設けられると共に可変入賞装置内において移動可能に設けられて可変入賞装置内に入球した遊技球の流下経路に変化をもたせ、可動部材に導かれれば特定入賞口への入賞が極めて容易になり、一方、可動部材から外れれば入賞が極めて困難になるように構成され、特定入賞口への入賞機会に大きな変化をもたせて遊技の興趣を高めるように構成されたものがある（例えば特許文献１参照。）
【０００４】
また、特定遊技状態に移行するために、特定入賞口（始動口）に遊技球が入賞すると、複数種類の図柄が変動表示可能な図柄表示装置の図柄が変動し、これらの図柄が所定の態様（例えば「７７７」）に揃って停止すると、大入賞口が開放されて、遊技者に多数の入賞球を獲得させる機会を与えるパチンコ機が知られている。そして、この種のパチンコ機において、遊技領域における遊技球の流下経路に変化をもたせることにより特定入賞口への遊技球の入賞機会に変化をもたらすために、特定入賞口の直上に配設された図柄表示装置を囲む飾り枠の底部に、遊技球遊動部が設けられているものが知られている。この遊技球遊動部は、底部における遊技球の流下挙動に変化をもたせるために複数の球遊動面を遊技盤の正面側に向けて順に低くなるように階段状に配設し、底部奥側に入球した遊技球をこれらの複数の球遊動面内でそれぞれ転動するようにして、特定入賞口方向に向けて遊動させてから遊技領域下方に流下させ、直下の特定入賞口への入賞機会を多様化させて興趣を高めるように構成されている（例えば特許文献２参照。）
【先行技術文献】
【特許文献】
【０００５】
【特許文献１】特開２０００−０７９２０８号公報（図３）
【特許文献２】特開２００２−３６９９１９号公報（図２）
【発明の概要】
【発明が解決しようとする課題】
【０００６】
しかしながら前述の第一のパチンコ機では、可変入賞装置内に入球した遊技球が可動部材に誘導されるか否かにより特定入賞口への入賞確率が大きく変動して遊技の興趣を高めることができるが、可動部材に誘導されるか外れるかは可変入賞装置内に遊技球が入球した直後に決まってしまい、なおかつ、可動部材に誘導される遊技球は特定入賞口に誘導される前に可動部材上に貯留されてしまうため、遊技球の動きが可動部材上で停止してしまうことにより遊技者に与える緊張感を失ってしまっていた。
【０００７】
また、前述の第二のパチンコ機では、上段の球誘導面から下段の球誘導面に向かって遊技球を順に自然に流下させるだけであるため、遊技球の遊動態様にそれほどの変化が無く、遊技盤面上において釘の間を流下する遊技球と同程度の偶発性しか遊技者に印象づけず、十分な興趣を遊技者に与えることができなかった。
【０００８】
本発明は、前述した従来の技術の問題を解決するものであり、入賞装置内に入球した遊技球の流下態様により一層の多様性を与え、入賞装置内に入球した遊技球が入賞口へ入賞するか否かについて、遊技者に一層の緊張感を与え、もって遊技の興趣を高めることのできる球誘導装置及び球誘導装置を用いた入賞装置を提供することを目的とする。
【課題を解決するための手段】
【０００９】
以上の課題を解決するために、本発明の採った手段を以下に説明する。本発明の球誘導装置（１）は、遊技球が流下する所定の球経路に設けられ、特定の球受入口への遊技球を誘導する球誘導装置であって、前記球誘導装置は、上部において遊技球が遊動可能な傾動板を備え、前記傾動板は、下部において少なくとも３箇所の変位部材に支持されて前後方向及び左右方向の傾きを自在に設けられたことを特徴とする遊技機の球誘導装置である。
【００１０】
本発明によれば、変位部材によって傾動板が前後左右に自在に傾動可能に設けられていているので、傾動板上に流下してきた遊技球について、傾動板の傾動に従って極めて不規則な流下態様を実現できる。特に、傾動板が前後左右に任意の傾きが可能となるように設けられることにより、遊技球の流下方向も、前後左右に極めて多様に変化させることができる。よって、従来と比べて、遊技者にとって遊技球の流下方向の予測が極めて困難となるので、傾動板上又は傾動板周辺に配設された球受入への入賞の機会について、遊技者に大きな緊張感を与えることができる。
【００１１】
本発明において「球受入口」は、特定入賞口、一般入賞口、始動口その他、遊技球が受け入れられる入賞口を広く含む。また「変位部材」は、傾動板を支持する最上部の位置を変位可能に構成され、例えば、ステッピングモータやソレノイドによってその最上部の位置を変位可能な部材を例示できる。
【００１２】
（２）また、前記変位部材を、前記傾動板の外周付近において前後左右に４箇所配設することとしても良い。このように４つの変位部材を配設することにより、傾動板の前後方向及び左右方向における傾動を自在に行え、かつ、４つの変位部材によって傾動角度を正確に制御することが容易となるほか、最小限の４つの変位部材で実現することができコスト低減を図ることもできる。
【００１３】
（３）また、入球した遊技球を前記傾動板の奥側に流下可能な球排出口を備えると共に、前記傾動板の手前側に入賞口を配設した入賞装置に、前記球誘導装置を用いることとしても良い。通常、入賞口は遊技盤面に取り付けられている。前述の通り、入賞装置内に設けられた傾動板に対しては、この入賞口は傾動板の手前側に配設されることになる。ここで、入賞装置に入球した遊技球の球排出口を傾動板の奥側に流下可能に設けることとすると、奥側から手前側に至る傾動板の広い範囲を遊技球の流下経路として利用することができる。よって、球排出口から排出された遊技球は傾動板の広い範囲にわたって前後左右に遊動されて手前側の入賞口側に流下されるので、傾動板の広い範囲に渡って遊技球が遊動可能となりより躍動感のある遊技を楽しむことができる。また、長い時間にわたって遊技球が入賞口に入賞するか否かの緊張感を味わうことができる。
【００１４】
（４）また前記入賞装置において、前記傾動板に入賞口を開設することとしても良い。前述のように、本発明の球誘導装置を設けた入賞装置においては、傾動板上の広い範囲において多様な流下経路で遊技球を遊動させることができる。この傾動板に入賞口を開設することにより、傾動板上を前後左右に誘導しながら様々な経路で流下する遊技球が入賞口へ入賞する機会を楽しむことができ、遊技者への興趣を与えることができる。一方、入賞装置直下に特定入賞口を配設し、傾動板上の入賞口を一般入賞口とする態様においては、この一般入賞口に遊技球が入賞してしまうと、入賞装置内に入球した遊技球はもはや特定入賞口へ入賞できなくなるので、遊技者は、この一般入賞口への入賞を回避して一般入賞口より下流の特定入賞口への入賞が可能か否かという緊張感を味わうこともできる。
【発明の効果】
【００１５】
本発明の球誘導装置及び入賞装置は前述のように構成され、遊技球の流下方向を前後左右に極めて多様に変化させることができ、遊技者に大きな緊張感を与えることができるので、パチンコ機等の遊技機の興趣を一層高めることができる。また、（２）の球誘導装置においては、さらに、４つの変位部材によって傾動角度を正確に制御することが容易となるほか、最小限の４つの変位部材で実現することができコスト低減を図ることもできる。また、（３）の入賞装置においては、傾動板の広い範囲に渡って遊技球を誘導させることにより、さらにパチンコ機等の遊技機の興趣を高めることができる。また、（４）の入賞装置においては、遊技球が誘導する傾動上の入賞口により、さらにパチンコ機等の遊技機の興趣を高めることもできる。
【図面の簡単な説明】
【００１６】
【図１】本発明の球誘導装置及び入賞装置を用いたパチンコ機の正面図である。
【図２】図１の入賞装置の正面図である。
【図３】図１の入賞装置の一部を切り欠いた平面図である。
【図４】入賞装置の横枠の左側面視縦断面図である。
【図５】図２の一部を切り欠いたA-A線断面図である。
【図６】球誘導装置の斜視図である。
【図７】球誘導装置の傾動態様の変化の一例を示す正面図である。
【図８】別の入賞装置の一部を切り欠いた平面図である。
【発明を実施するための形態】
【００１７】
次に、本発明の球誘導装置６０及び入賞装置３０の実施の形態を図を参考にして詳細に説明する。図１に示すように、本発明に係る球誘導装置６０及びこれを用いた入賞装置３０は、パチンコ機１に設けられている。なお、本発明は以下の実施の形態に限られるものではなく、本実施の形態は例示に過ぎない。
【００１８】
［パチンコ機全体の構成］
パチンコ機１の機枠３は、パチンコ機１の本体２を遊技ホールの設置場所（いわゆる「島設備」）に固定するためのものであり、縦長長方形状の木製の枠部材から構成されている。機枠３の前面には、機枠３に対してヒンジ機構によって開閉自在に取付固定された前面枠４が設けられている。そして、この前面枠４には遊技盤６が取り付けられている。
【００１９】
また前面枠４のさらに前面側上部にはガラス扉枠５が開閉自在に取付固定されており、ガラス扉枠５の内側に取り付けられたガラス板を透過して奥側の遊技盤６を視認することができる。
【００２０】
また、前面枠４の前面側下部には前面扉７が開閉自在に取付固定されている。前面扉７の前面には、所定数の貸球や賞球を貯留する球受け皿８が設けられている。また球受け皿８の下方には、球受け皿８の余剰球を貯留するための余剰球受け皿９や、図示しない発射装置を駆動して遊技球を遊技領域に向けて発射するための操作ハンドル１０が取り付けられている。
【００２１】
遊技盤６は所定の厚みを有する方形状の板材から構成されており、この遊技盤６の外周辺付近に、全体がやや縦長のやや楕円形状となるように配設されたガイドレール１２が取り付けられ、このガイドレール１２に囲まれた遊技盤６上の区画が遊技領域１３として構成されている。本発明の球誘導装置６０を備えた入賞装置３０は、この遊技領域１３のほぼ中央やや上方寄りに配設されている。
【００２２】
入賞装置３０の下方には、検知スイッチを備えた一般入賞口１４が配設されている。また、入賞装置３０の左右両側には、検知スイッチを備えた通過チャッカー１６が配設されている。また、始動入賞口１４の下方、遊技領域１３の最下部となるガイドレール１２の内側には、入賞しなかった遊技球をアウト球としては排出するためのアウト口１８が配設されている。
【００２３】
［入賞装置の構成］
入賞装置３０は、図２に示すように、遊技盤６に取り付けるための上部がアーチ状の取付枠体３２を備えており、この取付枠体３２の中央奥側に向かって左右両側から奥行きを備えた領域３４が形成されている。
【００２４】
図２及び図３に示すように、入賞装置３０の取付枠体３２の上部枠３３の中央には、特定入賞口３１が設けられている。また、この特定入賞口３１の左右両側には、同様に上部枠３３に、可変入賞口装置３６がそれぞれ設けられている。特定入賞口３１には検知スイッチが備えられており、特定入賞口３１に入賞した遊技球を検知可能に構成されている。可変入賞口装置３６には、上部枠３３裏側に配設されたソレノイド３６に取り付けられて、可変入賞口装置３６の可変入賞口３５を開閉可能に構成される開閉扉３８が備えられている。そして、開閉扉３８は、通常時には閉止されているが、前述した特定入賞口３１に備えられた検知スイッチが遊技球の入賞を検知すると、約０．８秒間開放動作を行うように構成されている。また、上部枠３３の内部には、可変入賞口３５が連通する第一球流路３９が形成されている。
【００２５】
また、特定入賞口３１内には、図示を省略するが、入賞した遊技球を背面側の球流路に円滑に誘導するための湾曲面が形成されている。また、可変入賞口３５内には、図示を省略するが、入賞した遊技球を横枠４０方向に円滑に誘導するための湾曲面が形成されている。
【００２６】
上部枠３３の左右両側端には、下方に垂下される横枠４０がそれぞれ連設されている。横枠４０内部には、前述した第一球流路３９と連通して形成された第二球流路４２がそれぞれ設けられている。可変入賞口３５に入賞した遊技球は、第一球流路３９から第二球流路４２を流下して、第二球流路４２下端の球排出口４７から入賞装置３０内の領域３４に流下されることになる。
【００２７】
図４にも示すように、第二球流路４２内には、流下する遊技球の勢いを弱め、第二球流路４２の下端部４３の損傷を防止するための緩衝部４４及び湾曲面４５が形成されている。緩衝部４４は、第二球流路４２の上流側から順に手前側、奥側の順に合計４か所が交互に設けられ、側面視において円弧状に突設された形状に形成されている。緩衝部４４は、図２に示すように、正面視において、手前側に設けられた緩衝部４４ａが縦方向に二条の薄板状に形成され、奥側に設けられた緩衝部４４ｂが縦方向に一条の薄板状に形成されている。また、第二球流路４２の最下部には、奥側に向けて湾曲形成され遊技球を奥側方向に向けて誘導する湾曲面４５が設けられており、正面視において縦方向に二条の薄板状に形成されている。この湾曲面４５によって、第二球流路４２を流下してきた遊技球は、球排出口４７から後述する傾動板６２奥側に向けて流下され、傾動板５２の左右の側端のいずれかに沿って、領域３４奥側方向に誘導されるように構成されている。
【００２８】
また、第一球流路３９及び第二球流路４０は、図２における正面視において、半透明の材質で形成されており、流下する遊技球を視認することができるように構成されており、領域３４における入賞の期待感を高めることに寄与している。
【００２９】
取付枠体３２の奥側には、図柄表示装置５０が立設されている。図柄表示装置５０は、平面視において「逆Ｖ字」状に形成されており、正面視において縦方向に２枚の液晶パネル５２ａ，５２ｂをつなぎ合わせて構成されている。各液晶パネル５２ａ，５２ｂは縦長の矩形状に形成され、両液晶パネル５２ａ，５２ｂにより構成することにより、大画面の図柄表示装置５０を構成するとともに、平面視において「逆Ｖ字」状に形成して正面視における中央部分が奥まったように設けることにより、図柄表示装置５０に物理的な奥行きを設け現実の立体感をもって図柄等が表示される。よって、図柄表示装置５０に表示される各種図柄は、従来の平面状の図柄表示装置のように仮想的に奥行き感を与えられるにとどまらず、より一層の奥行き感及びこれに基づく躍動感を表示図柄に表すことができる。なお、それぞれの液晶パネル５２ａ，５２ｂは、一つの液晶パネルによって図柄等を表示する如く、それぞれの表示を制御される。
【００３０】
このように２枚の液晶パネル５２ａ，５２ｂにより立体的に形成された図柄表示装置５０を、湾曲形成された単一の液晶パネルを用いて形成することもできる。このような液晶パネルを用いることにより、図柄表示装置５０全体の図柄表示をよりシームレスに行うことができるので、より一層の迫力のある態様で図柄表示を実現することができる。また、図柄表示の奥行き感・躍動感をより増すことができる。
【００３１】
また、このような図柄表示装置５０には、特に、液晶パネルの他に、プラズマディスプレイパネル、有機エレクトロルミネッセンスパネル、ドットマトリクスＬＥＤパネルなど他の画像表示パネルを用いることもできる。なお図柄表示装置５０の奥行き・湾曲度合い・大きさ等は、前述の実施の形態の例にとどまらず、パチンコ機や入賞装置に合わせて種々の変更が可能である。例えば平面視「逆Ｖ字」状に限らず、平面視において手前側が開口されるとともに複数箇所屈曲形成されたものなどでも良い。
【００３２】
図柄表示装置５０の左右両側には、それぞれ、取付枠体３２との間に、反射パネル５４が連接されている。反射パネル５４は、平面視において取付枠体３２中央に向かってわずかに湾曲されており、図柄表示装置５０を構成する各液晶パネル５２ａ，５２ｂの端部と、横枠４０との間を外観上一体的と見られるように構成されている。また、表面を鏡面仕上げとして反射可能に加工することにより、図柄表示装置５０に表示される図柄等が写り込んで見かけ上の図柄表示面積を大きく見せることが可能に構成されている。なお、この反射パネル５４の部位を、反射可能に設けるのではなく、図柄等を描いた特定の装飾部としても良い。
【００３３】
また、液晶パネル５２ａ，５２ｂの合わせ目の手前、すなわち後述する傾動板６２の最も奥側に対応する部位には、始動口５６が配設されている。そして、この始動口５６に遊技球が入賞すると、入賞装置３０上部の開閉扉３８が所定回数開閉され、いわゆる「小当たり」の状態となる。また、両横枠４０間、すなわち後述する傾動板６２の手前側に対応する部位には、中央に特定入賞口５７が、また、この特定入賞口５７の左右両側にやや横長に横枠４０内にかけて開口された一般入賞口５８ａ，５８ｂが、それぞれ配設されている。そして、この特定入賞口５７に遊技球が入賞すると、入賞装置３０上部の開閉扉３８が約０．８秒の開閉動作を１６回繰り返し、いわゆる「大当たり」の特別遊技状態となる。
【００３４】
取付枠体３２の開口部４１には、乱反射防止が可能な透明なプラスチックパネル４６が全面に渡って取り付けられており、入賞装置３０内の遊技態様を透過して視認可能に設けられるとともに、第一球流路３９及び第二球流路４２を通って入賞装置３０内に流下した遊技球が前述した始動口５６、特定入賞口５７、一般入賞口５８ａ，５８ｂ、または、後述する一般入賞口６４ａ，６４ｂのいずれかに必ず入賞するように、開口部４１を封止している。
【００３５】
［球誘導装置の構成］
次いで本発明の球誘導装置６０について説明する。図５から図７に示すように、球誘導装置６０は、その上部に遊技球の流下経路の一部を構成する傾動板（ローリングパネル）６２が取り付けられて、この傾動板５２を前後左右に傾動させて遊技球を遊動させるものである。
【００３６】
図５に示すように、傾動板６２は、平面視において、奥側に頂点を有する横長の五角形状に形成され、奥側を図柄表示装置５０に、手前側を特定入賞口５７及び一般入賞口５８ａ，５８ｂに臨ませて配設されている。また、傾動板６２の前後方向のほぼ中央付近の左右には、それぞれ、一般入賞口６４ａ，６４ｂが開設されている。
【００３７】
図６及び図７に示すように、傾動板６２の下方には、傾動板６２を傾動自在に支持する傾動装置６６が設けられている。傾動装置６６は、平面視矩形状の枠部材６８に対して、傾動板６２を前後左右に所定の角度範囲にて傾動するために設けられた４つの変位部材７０を備えている。変位部材７０は、傾動板６２の外周付近において、前後左右に計４箇所配設されている。また、枠部材６８には、傾動板６２を傾動自在に軸着する傾動軸６９が取り付けられており、かつ、この傾動軸６９回りに巻着されるとともに、傾動板６２を変位部材７０方向に付勢する引っ張りばね６７が取り付けられている。
【００３８】
それぞれの変位部材７０は、電動アクチュエータ７２と、この電動アクチュエータ７２によって可動されるカム部材７４とを備えている。電動アクチュエータ７２は本例ではステッピングモータが用いられており、傾動板６２に対して、回転軸７３がほぼ平行となるように設けられ、この回転軸７３に、カム部材７４が取り付けられている。
【００３９】
カム部材７４は、短径部と長径部とを有する「涙」状に形成されており、回転軸７３に対して偏心して取り付けられ、傾動板６２の下面を支持するように設けられている。そして、回転軸７３が回転されることにより、カム部材７４が所定周期で回転され、カム部材７４との接触位置により、傾動板６２各部の高さが変位され、傾動板６２の前後左右における傾動態様が変化されるように構成されている。具体的には、図７に示すように、カム部材７４の長手方向が直立される第一位置と、長手方向が傾動される第二位置とに交互に変位を繰り返すようにカム部材７４が変位制御される。
【００４０】
なお、カム部材７４は、非真円状に設けられていれば良く、「涙」状以外にも、楕円形、長円形や三角形等の形状にすることもできる。また、それぞれのカム部材７４の回転周期を異ならせて、傾動板６２の傾動態様を多様に変化させることとしても良く、これにより傾動板６２上での遊技球の遊動を多様化させ、遊技の興趣をより高めることもできる。また、短径部と長径部との長さを異ならせて傾動角度を変更することにより、遊技の興趣をより高めることもできる。
【００４１】
そして、このように構成された傾動装置６６は、図６に示すように、傾動板６２下部の４箇所にてそれぞれ傾動板６２を支持し、各変位部材７０のカム部材７４の変位により、図７（ａ）から図７（ｄ）等に示すように、傾動板６２が様々な傾動態様をとることができるように構成されている。例えば、４か所の変位部材７０を左回りまたは右回りに順に直立させるように制御することにより、傾動板６２上を流下する遊技球に対して円を描くような動きの応力を与えることができる。よってこの場合は傾動板６２上を流下する遊技球に対して、前後左右に遊動する動きを付加することができ、流下方向の態様性を飛躍的に増すことができる。
【００４２】
また、例えば、傾動板６２を、前後方向へのみ、または左右方向へのみ傾動させたり、前後方向への傾動と左右方向への傾動を交互に独立して行わせたりすることも可能である。また、これらの各種傾動態様を順に組み合わせたり、所定時にはいったん傾動動作を停止させることなどにより、遊技球の遊動態様をさらに多様化して遊技の興趣を図ることもできる。例えば、特定遊技状態において、一時、傾動板６２を奥側に傾けたままにして傾動板６２上に遊技球を多数貯留させておき、次いで、傾動板６２を手前側に傾けて、特定入賞口５７及び一般入賞口５８ａ，５８ｂに、貯留されていた多数の遊技球を一気に入賞させるようにして興趣を高めることもできる。もっとも、左右方向への傾動のみを行うように制御する場合には、遊技球が傾動板６２上を手前側の特定入賞口５７等側に流下させるためには、あらかじめ傾動板６２が前側下方向へ傾斜するように予め球誘導装置６０自体を入賞装置３０に対して前側下方向に傾斜させて取り付けたり、傾動板６２自体を球誘導装置６０に対して前側下方向に傾斜させて取り付けておくことが望ましい
【００４３】
また、傾動板６２は領域３４内の平面視ほぼ全域に渡り、その上部を平面状の流下領域としているので、遊技球は傾動板６２全面の広い範囲に渡って大きな遊動を行うことが可能である。よって、大きな遊技球の動きにより、遊技進行の躍動感を飛躍的に高めることができる。
【００４４】
なお、前述の例では変位部材７０をステッピングモータによりカム部材７４を回転駆動する態様を示したが、ソレノイドなどにより傾動板６２を直接支持して上下させるように制御するなど、他の変位手段により傾動板６２を傾動させることも可能である。
【００４５】
［球誘導装置及び入賞装置の作用］
次に、球誘導装置６０及びこの球誘導装置６０を備えた入賞装置３０の作用を、パチンコ機１の動作と共に説明する。操作ハンドル１０の操作によって遊技領域１３に向けて発射された遊技球が特定入賞口３１に入賞すると、可変入賞口装置３６の開閉扉が開閉動作を行う。この開閉動作の際に可変入賞口３５に遊技球が入賞すると、入賞した遊技球は、取付枠体３２内の第一球流路３９及び第二球流路４２を流下し、湾曲面４５によって領域３４奥側に向けて傾動板６２上に流下される。傾動板６２は所定の傾動動作を繰り返しており、流下された遊技球は傾動板６２上を不規則な動きで遊動されながら、領域３４奥側から手前側に流下される。一方、領域３４奥側の始動口５６に遊技球が入賞した場合には、図柄表示装置５０の図柄が変動し、所定の図柄が揃った場合には、可変入賞口装置３６の開閉扉が所定回数開閉動作を行う。例えば、図柄としてゴルフの赤・青・黄の３種のカラーボールを表示させ、３つのボールの色が揃った場合に開閉動作を行わせる態様を例示できる。また、傾動板６２上の一般入賞口６４ａ，６４ｂに入賞した場合には所定個数の入賞球が払い出される。これらの一般入賞口６４ａ，６４ｂとしては、例えば、これらの一般入賞口６４ａ，６４ｂ周囲にゴルフのバンカーを図示し、特定入賞口５７に入賞することなくバンカーに落下したかのように演出することが例示できる。また、領域３４手前側に遊技球が流下し一般入賞口５８ａ，５８ｂに遊技球が入賞した場合にも、所定個数の入賞球が払い出される。
【００４６】
そして、遊技球が特定入賞口５７に入賞した場合には、特別遊技状態に移行し、開閉扉３８が１６回の開閉動作を繰り返し、可変入賞口３５へ多数の遊技球の入賞が可能となる。この特別遊技状態においては、可変入賞口３５に入賞可能な多数の遊技球により入賞球が多数払出可能となる。この特定入賞口５７については、例えば、ゴルフのカップを前面に図示し、カップへ入球することにより特別遊技状態となるように演出することを例示することができる。また、可変入賞口３５は入賞装置３０の上部に配設されているので、遊技者は、入賞装置３０の上部付近を直接ねらって遊技球を発射するだけで、容易に多数の入賞球を得られることになる。
【００４７】
なお、例えば、図８に示すように、入賞装置３０の構成を変更することもできる。この入賞装置３０では、入賞口５５に入賞した遊技球が、傾動板６２裏面に設けられ、入賞口５５と特定入賞口５７とを連絡する球通路５９によって特定入賞口５７に入賞するように構成されている。この入賞装置３０では、傾動する傾動板６２手前側の特定入賞口５７への入賞だけではなく、傾動板６２の奥側に配設された入賞口５５への入賞による特別遊技状態への移行も期待でき、傾動板６２上で遊動する遊技球による特別遊技状態への移行態様を増やすことによる遊技の興趣向上を図ることができる。
【００４８】
このように、前述したような本発明の球誘導装置６０及び入賞装置３０は、傾動板６２を前後左右に傾動可能に設けられ、かつ、その傾動態様も多様に変化させることが可能に設けられているので、可変入賞口３５に入賞した遊技球を、傾動板６２上にて極めて多様な遊動を伴いながら流下させることができる。よって、傾動板６２及びその周辺に設けられた始動口５６、特定入賞口５７、一般入賞口５８ａ，５８ｂ若しくは一般入賞口６４ａ，６４ｂ又は入賞口５５のいずれに入賞するかの緊張感を飛躍的に高め、遊技の興趣をより高めることができる。
【産業上の利用可能性】
【００４９】
本発明はパチンコ機等の遊技機に利用することができる。
【符号の説明】
【００５０】
１；パチンコ機、２；本体、３；機枠、４；前面枠、５；ガラス扉枠、６；遊技盤、７；前面扉、８；球受け皿、９；余剰球受け皿、１０；操作ハンドル、１２；ガイドレール、１３；遊技領域、１４；一般入賞口、１６；通過チャッカー、１８；アウト口、３０；入賞装置、３１；特定入賞口、３２；取付枠体、３３；上部枠、３４；領域、３５；可変入賞口、３６；可変入賞口装置、３７；ソレノイド、３８；開閉扉、３９；第一球流路、４０；横枠、４１；開口部、４２；第二球流路，４４ａ，４４ｂ緩衝部、４５；湾曲面、４６；プラスチックパネル、４７；球排出口、５０；図柄表示装置、５２ａ，５２ｂ；液晶パネル、５４；反射パネル、５５；入賞口、５６；始動口、５７；特定入賞口、５８ａ，５８ｂ；一般入賞口、５９；球通路、６０；球誘導装置、６２；傾動板（ローリングパネル）、６４ａ，６４ｂ；一般入賞口、６６；傾動装置、６７；引っ張りばね、６８；枠部材、６９；傾動軸、７０；変位部材、７２；電動アクチュエータ（ステッピングモータ）７２。
【図１】
2011115471.tif 000003
【図２】
2011115471.tif 000004
【図３】
2011115471.tif 000005
【図４】
2011115471.tif 000006
【図５】
2011115471.tif 000007
【図６】
2011115471.tif 000008
【図７】
2011115471.tif 000009
【図８】
2011115471.tif 000010